【手続補正書】
【提出日】平成20年4月8日(2008.4.8)
【手続補正１】
【補正対象書類名】特許請求の範囲
【補正対象項目名】全文
【補正方法】変更
【補正の内容】
【特許請求の範囲】
【請求項１】
画像フレーム間の差異に基づいて、表示する画像のうち動きがあった部分を検出する動き検出手段と、
前記表示する画像のうち、前記動き検出手段が検出した部分のエッジ強調を行うエッジ強調手段と、
画像の入力系列を選択して設定する入力系列設定手段と、
前記入力系列設定手段による設定に基づいて前記エッジ強調手段によるエッジ強調のゲインを決定するゲイン決定手段と、
前記エッジ強調手段によってエッジ強調された画像を表示する画像表示手段と、
を具備し、
前記ゲイン決定手段は、デジタルＴＶ系の入力系列は、アナログＴＶ系の入力系列に比してゲインが低くなるようにゲインを決定することを特徴とするホールド型画像表示装置。
【請求項２】
画像フレーム間の差異に基づいて、表示する画像のうち動きがあった部分を検出する動き検出手段と、
前記表示する画像のうち、前記動き検出手段が検出した部分のエッジ強調を行うエッジ強調手段と、
入力画像の解像度を検出する解像度検出手段と、
前記解像度検出手段の検出結果に基づいて前記エッジ強調手段によるエッジ強調のゲインを決定するゲイン決定手段と、
前記エッジ強調手段によってエッジ強調された画像を表示する画像表示手段と、
を具備することを特徴とするホールド型画像表示装置。    
【請求項３】
前記ゲイン決定手段は、前記入力画像の解像度と、前記画像表示手段の有する解像度との差が所定値以内である場合、前記差が所定値以上となる場合に比してゲインが高くなるようにゲインを決定することを特徴とする請求項２に記載のホールド型画像表示装置。
【請求項４】
前記ゲイン決定手段は、前記入力画像の解像度が前記画像表示手段の有する解像度に比して所定値以上大きい場合、これらの解像度が一致または近似している場合に比してゲインが低くなるようにゲインを決定することを特徴とする請求項２に記載のホールド型画像表示装置。
【請求項５】
前記ゲイン決定手段は、前記入力画像の解像度が前記画像表示手段の有する解像度に比して所定値以上小さい場合、これらの解像度が一致または近似している場合に比してゲインが低くなるようにゲインを決定することを特徴とする請求項２に記載のホールド型画像表示装置。
【手続補正２】
【補正対象書類名】明細書
【補正対象項目名】０００７
【補正方法】変更
【補正の内容】
【０００７】
上記の目的を達成するために、ホールド型画像表示装置は、表示光の輝度を１フィールド間ほぼ一定に保ちつつ画像を表示するホールド型画像表示装置において、画像フレーム間の差異に基づいて、表示する画像のうち、所定面積以上の変化があった部分を検出する面積検出手段と、前記表示する画像のうち、前記面積検出手段が検出した部分のエッジ強調を行うエッジ強調手段と、前記エッジ強調手段によってエッジ強調された画像を表示する画像表示手段と、を具備するものである。
【手続補正３】
【補正対象書類名】明細書
【補正対象項目名】０００８
【補正方法】変更
【補正の内容】
【０００８】
このホールド型画像表示装置にあっては、面積検出手段が、画像フレーム間の差異に基づいて、表示する画像のうち、所定面積以上の変化があった部分を検出し、エッジ強調手段が、表示する画像のうち、面積検出手段が検出した部分のエッジ強調を行い、画像表示手段が、エッジ強調手段によってエッジ強調された画像を表示する。これにより、ノイズ部分を避けて動きのあった部分のエッジ強調を行う確率が高まる。
【手続補正４】
【補正対象書類名】明細書
【補正対象項目名】０００９
【補正方法】変更
【補正の内容】
【０００９】
また、ホールド型画像表示装置は、表示光の輝度を１フィールド間ほぼ一定に保ちつつ画像を表示するホールド型画像表示装置において、画像フレーム間の絶対値輝度差分を検出する差分検出手段と、前記差分検出手段の検出結果に基づいて、自画素が所定閾値以上の絶対値輝度差分を有し、前記所定閾値以上の絶対値輝度差分を有する他の画素が自画素周辺の所定範囲内に所定個数以上ある画素を検出する画素検出手段と、表示する画像のうち、前記画素検出手段が検出した画素のエッジ強調を行うエッジ強調手段と、前記エッジ強調手段によってエッジ強調された画像を表示する画像表示手段と、を具備するものである。
【手続補正５】
【補正対象書類名】明細書
【補正対象項目名】００１０
【補正方法】変更
【補正の内容】
【００１０】
このホールド型画像表示装置にあっては、差分検出手段が、画像フレーム間の絶対値輝度差分を検出し、画素検出手段が、差分検出手段の検出結果に基づいて、自画素が所定閾値以上の絶対値輝度差分を有し、所定閾値以上の絶対値輝度差分を有する他の画素が自画素周辺の所定範囲内に所定個数以上ある画素を検出し、エッジ強調手段が、表示する画像のうち、画素検出手段が検出した画素のエッジ強調を行い、画像表示手段が、エッジ強調手段によってエッジ強調された画像を表示する。これにより、ノイズ部分を避けて動きのあった部分のエッジ強調を行う確率が高まる。
【手続補正６】
【補正対象書類名】明細書
【補正対象項目名】００１１
【補正方法】変更
【補正の内容】
【００１１】
また、ホールド型画像表示装置は、さらに、前記所定閾値，前記所定範囲および前記所定個数の少なくとも一つを変更する変更手段を具備するものである。
【手続補正７】
【補正対象書類名】明細書
【補正対象項目名】００１２
【補正方法】変更
【補正の内容】
【００１２】
このホールド型画像表示装置にあっては、変更手段が、所定閾値，所定範囲および所定個数の少なくとも一つを変更することによって、ユーザが、適宜エッジ強調の調節を行うことができる。
【手続補正８】
【補正対象書類名】明細書
【補正対象項目名】００１３
【補正方法】変更
【補正の内容】
【００１３】
また、ホールド型画像表示装置は、表示光の輝度を１フィールド間ほぼ一定に保ちつつ画像を表示するホールド型画像表示装置において、画像フレーム間の絶対値輝度差分を検出する差分検出手段と、前記差分検出手段が検出した前記絶対値輝度差分を並べた２次元空間の高周波成分を除去する２次元ローパスフィルタと、前記２次元ローパスフィルタの除去結果に基づいて、所定閾値以上の絶対値輝度差分を有する画素を検出する画素検出手段と、表示する画像のうち、前記画素検出手段が検出した画素のエッジ強調を行うエッジ強調手段と、前記エッジ強調手段によってエッジ強調された画像を表示する画像表示手段と、を具備するものである。
【手続補正９】
【補正対象書類名】明細書
【補正対象項目名】００１４
【補正方法】変更
【補正の内容】
【００１４】
このホールド型画像表示装置にあっては、差分検出手段が、画像フレーム間の絶対値輝度差分を検出し、２次元ローパスフィルタが、差分検出手段が検出した絶対値輝度差分を並べた２次元空間の高周波成分を除去し、画素検出手段が、２次元ローパスフィルタの除去結果に基づいて、所定閾値以上の絶対値輝度差分を有する画素を検出し、エッジ強調手段が、表示する画像のうち、画素検出手段が検出した画素のエッジ強調を行い、画像表示手段が、エッジ強調手段によってエッジ強調された画像を表示する。これにより、ノイズ部分を避けて動きのあった部分のエッジ強調を行う確率が高まる。
【手続補正１０】
【補正対象書類名】明細書
【補正対象項目名】００１５
【補正方法】変更
【補正の内容】
【００１５】
また、ホールド型画像表示装置は、表示光の輝度を１フィールド間ほぼ一定に保ちつつ画像を表示するホールド型画像表示装置において、画像フレーム間の絶対値輝度差分を検出する差分検出手段と、前記差分検出手段が検出した前記絶対値輝度差分を並べた２次元空間の高周波成分を除去する２次元ローパスフィルタと、前記２次元ローパスフィルタの除去結果に基づいて、画素ごとのエッジ強調のゲインを決定するゲイン決定手段と、前記ゲイン決定手段による決定に基づいてエッジ強調を行うエッジ強調手段と、前記エッジ強調手段によってエッジ強調された画像を表示する画像表示手段と、を具備するものである。
【手続補正１１】
【補正対象書類名】明細書
【補正対象項目名】００１６
【補正方法】変更
【補正の内容】
【００１６】
このホールド型画像表示装置にあっては、差分検出手段が、画像フレーム間の絶対値輝度差分を検出し、２次元ローパスフィルタが、差分検出手段が検出した絶対値輝度差分を並べた２次元空間の高周波成分を除去し、ゲイン決定手段が、２次元ローパスフィルタの除去結果に基づいて、画素ごとのエッジ強調のゲインを決定し、エッジ強調手段が、ゲイン決定手段による決定に基づいてエッジ強調を行い、画像表示手段が、エッジ強調手段によってエッジ強調された画像を表示する。これにより、ノイズ部分を避けて動きのあった部分のエッジ強調を行う確率が高まる。
【手続補正１２】
【補正対象書類名】明細書
【補正対象項目名】００１７
【補正方法】変更
【補正の内容】
【００１７】
また、ホールド型画像表示装置は、さらに、前記所定範囲内の前記他の画素数に基づいて前記画素ごとのエッジ強調のゲインを決定するゲイン決定手段を具備し、前記エッジ強調手段が、前記ゲイン決定手段による決定に基づいてエッジ強調を行うものである。
【手続補正１３】
【補正対象書類名】明細書
【補正対象項目名】００１８
【補正方法】変更
【補正の内容】
【００１８】
このホールド型画像表示装置にあっては、ゲイン決定手段が、所定範囲内の他の画素数に基づいて画素ごとのエッジ強調のゲインを決定し、エッジ強調手段が、ゲイン決定手段による決定に基づいてエッジ強調を行う。これにより、さらに適切なエッジ強調を行うことができる。
【手続補正１４】
【補正対象書類名】明細書
【補正対象項目名】００１９
【補正方法】変更
【補正の内容】
【００１９】
また、ホールド型画像表示装置は、さらに、画像の入力系列を選択して設定する入力系列設定手段と、前記入力系列設定手段による設定に基づいて前記エッジ強調手段によるエッジ強調のゲインを決定するゲイン決定手段と、を具備するものである。
【手続補正１５】
【補正対象書類名】明細書
【補正対象項目名】００２０
【補正方法】変更
【補正の内容】
【００２０】
このホールド型画像表示装置にあっては、入力系列設定手段が、画像の入力系列を選択して設定し、ゲイン決定手段が、入力系列設定手段による設定に基づいてエッジ強調のゲインを決定する。これにより、入力系列に応じた適切なエッジ強調を行うことができる。
【手続補正１６】
【補正対象書類名】明細書
【補正対象項目名】００２１
【補正方法】変更
【補正の内容】
【００２１】
また、ホールド型画像表示装置は、さらに、入力画像の解像度を検出する解像度検出手段と、前記解像度検出手段の検出結果に基づいて前記エッジ強調手段によるエッジ強調のゲインを決定するゲイン決定手段と、を具備するものである。
【手続補正１７】
【補正対象書類名】明細書
【補正対象項目名】００２２
【補正方法】変更
【補正の内容】
【００２２】
このホールド型画像表示装置にあっては、解像度検出手段が、入力画像の解像度を検出し、ゲイン決定手段が、解像度検出手段の検出結果に基づいてエッジ強調のゲインを決定する。これにより、入力画像の解像度に応じた適切なエッジ強調を行うことができる。
【手続補正１８】
【補正対象書類名】明細書
【補正対象項目名】００２３
【補正方法】変更
【補正の内容】
【００２３】
また、ホールド型画像表示装置は、表示光の輝度を１フィールド間ほぼ一定に保ちつつ画像を表示するホールド型画像表示装置において、画像フレーム間の差異に基づいて、表示する画像のうち動きがあった部分を検出する動き検出手段と、前記表示する画像のうち、前記動き検出手段が検出した部分のエッジ強調を行うエッジ強調手段と、画像の入力系列を選択して設定する入力系列設定手段と、前記入力系列設定手段による設定に基づいて前記エッジ強調手段によるエッジ強調のゲインを決定するゲイン決定手段と、前記エッジ強調手段によってエッジ強調された画像を表示する画像表示手段と、を具備するものである。
【手続補正１９】
【補正対象書類名】明細書
【補正対象項目名】００２４
【補正方法】変更
【補正の内容】
【００２４】
このホールド型画像表示装置にあっては、入力系列設定手段が、画像の入力系列を選択して設定し、ゲイン決定手段が、前記入力系列設定手段による設定に基づいて前記エッジ強調手段によるエッジ強調のゲインを決定し、動き検出手段が、画像フレーム間の差異に基づいて、表示する画像のうち動きがあった部分を検出し、エッジ強調手段が、表示する画像のうち、動き検出手段が検出した部分のエッジ強調を行い、画像表示手段が、エッジ強調手段によってエッジ強調された画像を表示する。これにより、入力系列に応じた適切なエッジ強調を行うことができる。
【手続補正２０】
【補正対象書類名】明細書
【補正対象項目名】００２５
【補正方法】変更
【補正の内容】
【００２５】
また、ホールド型画像表示装置は、表示光の輝度を１フィールド間ほぼ一定に保ちつつ画像を表示するホールド型画像表示装置において、画像フレーム間の差異に基づいて、表示する画像のうち動きがあった部分を検出する動き検出手段と、前記表示する画像のうち、前記動き検出手段が検出した部分のエッジ強調を行うエッジ強調手段と、入力画像の解像度を検出する解像度検出手段と、前記解像度検出手段の検出結果に基づいて前記エッジ強調手段によるエッジ強調のゲインを決定するゲイン決定手段と、前記エッジ強調手段によってエッジ強調された画像を表示する画像表示手段と、を具備するものである。
【手続補正２１】
【補正対象書類名】明細書
【補正対象項目名】００２６
【補正方法】変更
【補正の内容】
【００２６】
このホールド型画像表示装置にあっては、解像度検出手段が、入力画像の解像度を検出し、ゲイン決定手段が、解像度検出手段の検出結果に基づいてエッジ強調手段によるエッジ強調のゲインを決定し、動き検出手段が、画像フレーム間の差異に基づいて、表示する画像のうち動きがあった部分を検出し、エッジ強調手段が、表示する画像のうち、動き検出手段が検出した部分のエッジ強調を行い、画像表示手段が、エッジ強調手段によってエッジ強調された画像を表示する。これにより、入力画像の解像度に応じた適切なエッジ強調を行うことができる。
【手続補正２２】
【補正対象書類名】明細書
【補正対象項目名】００７８
【補正方法】変更
【補正の内容】
【００７８】
以上説明したように、この発明のホールド型画像表示装置は、面積検出手段が、画像フレーム間の差異に基づいて、表示する画像のうち、所定面積以上の変化があった部分を検出し、エッジ強調手段が、表示する画像のうち、面積検出手段が検出した部分のエッジ強調を行い、画像表示手段が、エッジ強調手段によってエッジ強調された画像を表示する。これにより、ノイズ部分を避けて動きのあった部分のエッジ強調を行う確率が高まるため、ノイズ成分の強調を抑えつつエッジ強調を行い、表示画像の品質を向上させることができる。
【手続補正２３】
【補正対象書類名】明細書
【補正対象項目名】００７９
【補正方法】変更
【補正の内容】
【００７９】
また、この発明のホールド型画像表示装置は、差分検出手段が、画像フレーム間の絶対値輝度差分を検出し、画素検出手段が、差分検出手段の検出結果に基づいて、自画素が所定閾値以上の絶対値輝度差分を有し、所定閾値以上の絶対値輝度差分を有する他の画素が自画素周辺の所定範囲内に所定個数以上ある画素を検出し、エッジ強調手段が、表示する画像のうち、画素検出手段が検出した画素のエッジ強調を行い、画像表示手段が、エッジ強調手段によってエッジ強調された画像を表示する。これにより、ノイズ部分を避けて動きのあった部分のエッジ強調を行う確率が高まるため、ノイズ成分の強調を抑えつつエッジ強調を行い、表示画像の品質を向上させることができる。
【手続補正２４】
【補正対象書類名】明細書
【補正対象項目名】００８０
【補正方法】変更
【補正の内容】
【００８０】
また、この発明のホールド型画像表示装置は、変更手段が、所定閾値，所定範囲および所定個数の少なくとも一つを変更することによって、ユーザが、適宜エッジ強調の調節を行うことができるため、ユーザの好みに応じて表示画像の品質を向上させることができる。
【手続補正２５】
【補正対象書類名】明細書
【補正対象項目名】００８１
【補正方法】変更
【補正の内容】
【００８１】
また、この発明のホールド型画像表示装置は、差分検出手段が、画像フレーム間の絶対値輝度差分を検出し、２次元ローパスフィルタが、差分検出手段が検出した絶対値輝度差分を並べた２次元空間の高周波成分を除去し、画素検出手段が、２次元ローパスフィルタの除去結果に基づいて、所定閾値以上の絶対値輝度差分を有する画素を検出し、エッジ強調手段が、表示する画像のうち、画素検出手段が検出した画素のエッジ強調を行い、画像表示手段が、エッジ強調手段によってエッジ強調された画像を表示する。これにより、ノイズ部分を避けて動きのあった部分のエッジ強調を行う確率が高まるため、ノイズ成分の強調を抑えつつエッジ強調を行い、表示画像の品質を向上させることができる。
【手続補正２６】
【補正対象書類名】明細書
【補正対象項目名】００８２
【補正方法】変更
【補正の内容】
【００８２】
また、この発明のホールド型画像表示装置は、差分検出手段が、画像フレーム間の絶対値輝度差分を検出し、２次元ローパスフィルタが、差分検出手段が検出した絶対値輝度差分を並べた２次元空間の高周波成分を除去し、ゲイン決定手段が、２次元ローパスフィルタの除去結果に基づいて、画素ごとのエッジ強調のゲインを決定し、エッジ強調手段が、ゲイン決定手段による決定に基づいてエッジ強調を行い、画像表示手段が、エッジ強調手段によってエッジ強調された画像を表示する。これにより、ノイズ部分を避けて動きのあった部分のエッジ強調を行う確率が高まるため、ノイズ成分の強調を抑えつつエッジ強調を行い、表示画像の品質を向上させることができる。
【手続補正２７】
【補正対象書類名】明細書
【補正対象項目名】００８３
【補正方法】変更
【補正の内容】
【００８３】
また、この発明のホールド型画像表示装置は、ゲイン決定手段が、所定範囲内の他の画素数に基づいて画素ごとのエッジ強調のゲインを決定し、エッジ強調手段が、ゲイン決定手段による決定に基づいてエッジ強調を行うため、さらに適切なエッジ強調を行うことができる。
【手続補正２８】
【補正対象書類名】明細書
【補正対象項目名】００８４
【補正方法】変更
【補正の内容】
【００８４】
また、この発明のホールド型画像表示装置は、入力系列設定手段が、画像の入力系列を選択して設定し、ゲイン決定手段が、入力系列設定手段による設定に基づいてエッジ強調のゲインを決定する。これにより、入力系列に応じた適切なエッジ強調を行うことができるため、表示画像の品質を向上させることができる。
【手続補正２９】
【補正対象書類名】明細書
【補正対象項目名】００８５
【補正方法】変更
【補正の内容】
【００８５】
また、この発明のホールド型画像表示装置は、解像度検出手段が、入力画像の解像度を検出し、ゲイン決定手段が、解像度検出手段の検出結果に基づいてエッジ強調のゲインを決定する。これにより、入力画像の解像度に応じた適切なエッジ強調を行うことができるため、表示画像の品質を向上させることができる。
【手続補正３０】
【補正対象書類名】明細書
【補正対象項目名】００８６
【補正方法】変更
【補正の内容】
【００８６】
また、この発明のホールド型画像表示装置は、入力系列設定手段が、画像の入力系列を選択して設定し、ゲイン決定手段が、前記入力系列設定手段による設定に基づいて前記エッジ強調手段によるエッジ強調のゲインを決定し、動き検出手段が、画像フレーム間の差異に基づいて、表示する画像のうち動きがあった部分を検出し、エッジ強調手段が、表示する画像のうち、動き検出手段が検出した部分のエッジ強調を行い、画像表示手段が、エッジ強調手段によってエッジ強調された画像を表示する。これにより、入力系列に応じた適切なエッジ強調を行うことができるため、表示画像の品質を向上させることができる。
【手続補正３１】
【補正対象書類名】明細書
【補正対象項目名】００８７
【補正方法】変更
【補正の内容】
【００８７】
また、この発明のホールド型画像表示装置は、解像度検出手段が、入力画像の解像度を検出し、ゲイン決定手段が、解像度検出手段の検出結果に基づいてエッジ強調手段によるエッジ強調のゲインを決定し、動き検出手段が、画像フレーム間の差異に基づいて、表示する画像のうち動きがあった部分を検出し、エッジ強調手段が、表示する画像のうち、動き検出手段が検出した部分のエッジ強調を行い、画像表示手段が、エッジ強調手段によってエッジ強調された画像を表示する。これにより、入力画像の解像度に応じた適切なエッジ強調を行うことができるため、表示画像の品質を向上させることができる。